(57)【特許請求の範囲】
【請求項１】
着脱可能で別体に設けられた感知器ベースを介することなく、天井等の取付個所に一体的な構成のまま取り付けられる火災感知器において、
平面視、火災を感知する感知手段が収容される収容部と、該収容部の周囲に設けられ取付個所に固定されるフレーム部とを有し、
取付個所に取り付けられる方を上方として、
前記収容部および前記フレーム部の上面がほぼ同一平面状に設けられていることを特徴とする火災感知器。
【請求項２】
前記収容部の上部には前記感知手段を収容するための開口と、この開口を塞ぐ蓋とが設けられ、
前記開口の内側には前記蓋を係止する係止部が設けられ、
前記蓋は前記開口の内側に嵌合されて該開口を塞いでいることを特徴とする請求項１記載の火災感知器。
【請求項３】
前記蓋には、
該蓋の外周部で且つ上面より低い位置の少なくとも２個所に径方向に突出した係止片と、
該蓋の上面より低い位置の少なくとも１個所に係止爪とが、それぞれ設けられる一方、
前記開口には、
前記蓋の係止片を収容して係止する係止部と、
前記蓋の係止爪が掛け止めされる掛止部とが、それぞれ設けられていることを特徴とする請求項２記載の火災感知器。
【請求項４】
前記収容部の上部には前記感知手段を収容するための開口と、この開口を塞ぐ蓋とが設けられ、
前記収容部内には、前記感知手段の基板を下から支持する脚部が設けられる一方、
前記蓋には、前記感知手段の基板を上から押さえる押え部が設けられ、
前記感知手段の基板が、前記脚部と前記押え部に挟持固定されていることを特徴とする請求項１〜３の何れかに記載の火災感知器。
【請求項５】
前記収容部の下側には外部に露出する表示灯用のレンズが設けられ、
該レンズが前記基板を支持する前記脚部を兼ねていることを特徴とする請求項４記載の火災感知器。
【請求項６】
火災を感知する感知手段が収容される収容部と、該収容部の周囲に設けられ取付個所に固定されるフレーム部とを有し、着脱可能で別体に設けられた感知器ベースを介することなく、天井等の取付個所に一体的な構成のまま取り付けられる火災感知器において、
前記感知手段は、基板および該基板の一面から火災感知器の外部まで延出するリード線を備えてなり、
火災感知器が取付個所に取り付けられる方を上方として、
前記基板が前記一面側を下方に向けて収容され、前記リード線が基板の下側から基板の縁部の外方を迂回して上方に延出し、
前記収容部の上部には前記感知手段を収容するための開口と、この開口を塞ぐ蓋とが設けられ、
前記開口および蓋のそれぞれに溝部が形成され、前記リード線が前記開口の溝と蓋の溝とに挟まれて外部に通されていることを特徴とする火災感知器。
【請求項７】
前記収容部の底には外部まで貫通した水抜き用の貫通孔が設けられていることを特徴とする請求項１〜６の何れかに記載の火災感知器。
【発明の詳細な説明】
【０００１】
【発明の属する技術分野】
この発明は、着脱可能で別体に設けられた感知器ベースを介することなく、天井等の取付個所に一体的な構成のまま取り付けられる火災感知器に関する。
【０００２】
【従来の技術】
火災感知器には、着脱可能で別体に設けられた感知器ベースを介して天井等の取付個所に取り付けられるタイプと、感知器ベースを介さずに直接に取付個所に取り付けられるタイプとがある。感知器ベースは、受信機から取付個所まで配された回線に接続されるリード線と、火災感知器と電気的に接続する端子片とを備え、火災感知器を取付個所に固定すると共に、火災感知器と回線とを電気的に接続させる。
感知器ベースを介して取り付けるタイプの感知器は、感知器ベース自体に厚みがあるため、その分、取付個所（例えば天井）からの突出量が大きくなり、低い天井などに取り付けると空間の圧迫感を生む。また、空間の圧迫感だけでなく、さまざまな理由で取付個所からあまり突出しないタイプの感知器が望まれることがある。
感知器ベースを介さずに取り付けるタイプの感知器は、感知器ベースがない分、取付個所からの突出量を比較的に小さくできると云う利点を有している。
【０００３】
図８には、感知器ベースを介さない従来の感知器の一例の側面図を示す。
感知器ベースを介さない従来の感知器８０は、熱や煙を感知する感知回路等が搭載された電子基板を収容する収容部８１と、感知器を取付個所に取り付けるために収容部８１の周囲に張り出されたフレーム部８２等を備えてなる。
【０００４】
【発明が解決しようとする課題】
感知器ベースを介さない従来の感知器８０は、図８に示すように、収容部８１の上部がフレーム部８２より一段高く設けられており、天井等の取付個所に取り付ける場合に、天井に収容部８１の上部が入り込むだけの穴を開けなければならず作業性が良くなかった。また、穴が大きいため感知器を外して元の状態に戻す場合に修復作業が大変であった。
【０００５】
図９には、感知器ベースを介さない従来の感知器８０の縦断面図を示す。
感知器ベースを介さない従来の感知器８０は、収容部８１の上部に基板等を収容するための開口８１Ｂと、この開口８１Ｂを塞ぐ蓋８１Ａとが設けられている。一般に、このような感知器の蓋には、開口８１Ｂをその外側から覆うように開口８１Ｂを塞ぐタイプと、図8のように開口８１Ｂの内側に嵌合して開口８１Ｂを塞ぐタイプとがある。
感知器ベースを介さない感知器８０は、直接に天井等の取付個所に取り付けられるため、例えば雨水や露などの水の発生が多い個所に設置する場合、天井裏から感知器上部に水がつたわることがあり、このとき感知器８０の上部の蓋８１Ａが開口８１Ｂの内側に嵌合するタイプであると、蓋８１Ａと開口８１Ｂとの間から水が感知器８０内部に入りこんでしまう。また、蓋が開口８１Ｂの外側から覆うタイプであっても、感知器ベースを介さない感知器８０は、回線に接続するためのリード線が感知器８０内部から外部に延出しているので、このリード線をつたって水が感知器８０内部に入りこんでしまう。そのため、従来では、感知器を水の発生が多い個所に設置する場合、蓋を接着剤で封止するなどの処理を行っていたが、一旦蓋を封止すると、保守点検などで感知器を分解する必要が生じても分解することができないなど、感知器を取り扱う上で不便であった。
【０００６】
この発明は、上記実状に鑑みてなされたもので、天井等の取付個所に一体的な構成のまま取り付けられる火災感知器において、取付個所に大きな穴を開ける必要がなく、更に、感知器内部に水が入った場合でも不具合を発生させることなく、水の発生が多い個所に設置する場合でも排水容易な火災感知器を提供することを目的としている。
【０００７】
【課題を解決するための手段】
上記課題を解決するため、
請求項１記載の発明は、着脱可能で別体に設けられた感知器ベースを介することなく、天井等の取付個所に一体的な構成のまま取り付けられる火災感知器において、
平面視、火災を感知する感知手段が収容される収容部と、該収容部の周囲に設けられ取付個所に固定されるフレーム部とを有し、
取付個所に取り付けられる方を上方として、
前記収容部および前記フレーム部の上面がほぼ同一平面状に設けられている構成とした。
【０００８】
この請求項１記載の発明によれば、火災感知器が感知器ベースを必要とせず直接に取付個所に取り付けられるため、火災感知器設置による突出量を小さくできる。その上で、収容部およびフレーム部の上面がほぼ同一平面状に設けられているので、火災感知器を取り付ける際に取付個所に設ける穴を従来に比べて小さくすることが出来る。すなわち、従来のように収容部の上部を通す穴が不要となり、火災感知器から延出したリード線を通す穴だけ設ければよい。
【０００９】
請求項２記載の発明は、請求項１記載の火災感知器において、
前記収容部の上部には前記感知手段を収容するための開口と、この開口を塞ぐ蓋とが設けられ、
前記開口の内側には前記蓋を係止する係止部が設けられ、
前記蓋は前記開口の内側に嵌合されて該開口を塞いでいる構成とした。
この請求項２記載の発明によれば、蓋が開口の内側に嵌合される構成なので、フレーム部と収容部の上面をほぼ同一平面状にする構成を、単純な構造で容易に実現できる。
【００１０】
具体的には、請求項３記載の発明のように、請求項２記載の火災感知器において、前記蓋に、該蓋の外周部で且つ上面より低い位置の少なくとも２個所に径方向に突出した係止片と、該蓋の上面より低い位置の少なくとも１個所に係止爪とをそれぞれ設ける一方、前記開口に、前記蓋の係止片を収容して係止する係止部と、前記蓋の係止爪が掛け止めされる掛止部とをそれぞれ設けることで、蓋が開口の内側に嵌合されて係止される構成を単純な構造で実現できる。
【００１１】
請求項４記載の発明は、請求項１〜３の何れかに記載の火災感知器において、前記収容部の上部には前記感知手段を収容するための開口と、この開口を塞ぐ蓋とが設けられ、
前記収容部内には、前記感知手段の基板を下から支持する脚部が設けられる一方、
前記蓋には、前記感知手段の基板を上から押さえる押え部が設けられ、
前記感知手段の基板が、前記脚部と前記押え部に挟持固定されている構成とした。
この請求項４記載の発明によれば、感知手段の基板を収容部に収容した後、蓋を閉めるだけで基板が固定されるので、火災感知器の組み立て作業を容易にできる。
【００１２】
請求項５記載の発明は、請求項４記載の火災感知器において、
前記収容部の下側には外部に露出する表示灯用のレンズが設けられ、
該レンズが前記基板を支持する前記脚部を兼ねている構成とした。
この請求項５記載の発明によれば、レンズにより基板が支持されるので基板をより安定して支持できると共に、レンズが脚部を兼ねている分、構成のコンパクト化を図ることが出来る。
【００１３】
請求項６記載の発明は、火災を感知する感知手段が収容される収容部と、該収容部の周囲に設けられ取付個所に固定されるフレーム部とを有し、着脱可能で別体に設けられた感知器ベースを介することなく、天井等の取付個所に一体的な構成のまま取り付けられる火災感知器において、前記感知手段は、基板および該基板の一面から火災感知器の外部まで延出するリード線を備えてなり、火災感知器が取付個所に取り付けられる方を上方として、前記基板が前記一面側を下方に向けて収容され、前記リード線が基板の下側から基板の縁部の外方を迂回して上方に延出し、前記収容部の上部には前記感知手段を収容するための開口と、この開口を塞ぐ蓋とが設けられ、前記開口および蓋のそれぞれに溝部が形成され、前記リード線が前記開口の溝と蓋の溝とに挟まれて外部に通されている構成とした。
【００１４】
この請求項６記載の発明によれば、リード線をつたわって感知器内部に入りこんだ水が基板上につたわらずに基板の下側に回避される。したがって、感知器内部に水が入りこんだ場合でも、基板に水の影響を与えることなく排水することが出来る。また、基板を収容部にセットした際にリード線が迂回することで、リード線が収容部の内壁（例えば溝部）に嵌り込んで基板を仮止めすることが出来る。それにより、火災感知器の組み立て作業や分解作業が容易になる。また、リード線が開口と蓋との両方の溝部に挟まれて外部に通されるので、リード線の周りに隙間を作ることなく組み付け容易に感知器内部から外部にリード線を通すことが出来る。
【００１６】
請求項７記載の発明は、請求項１〜６の何れかに記載の火災感知器において、前記収容部の底には外部まで貫通した水抜き用の貫通孔が設けられている構成とした。この請求項７記載の発明によれば、火災感知器内部に水が入り込んだ場合でも、水抜き用の貫通孔から水を排出することができ、水が感知器内に溜まってしまうと云った不都合を回避できる。
【００１７】
【発明の実施の形態】
以下、この発明の実施の形態について、図１〜図７の図面を参照しながら説明する。
図１は、本発明の実施の形態の火災感知器１の分解斜視図である。図２は火災感知器１の本体ケース１０を示すもので、（ａ）はその平面図、（ｂ）は斜視図、図３は火災感知器１の回路用の基板３０を示すもので、（ａ）はその下面図、（ｂ）は上面図、図４は火災感知器１の蓋４０を示すもので、（ａ）はその上面図、（ｂ）は下面図である。
【００１８】
この実施の形態の火災感知器１は、回線に接続された取付ベースを介することなく、天井等の取付個所に直接に且つ一体的な構成のまま取り付けられるタイプの感知器であり、図１に示すように、本体ケース１０、熱の感知等を行う感知回路（感知手段）を配設した基板３０、蓋４０、および、本体ケース１０の下側に取り付けられるプロテクタ等から構成される。
本体ケース１０は、回路基板３０を収容する中央の収容部１５と、この収容部１５の周囲に張り出した感知器固定用のフレーム部１２とから構成される。
【００１９】
収容部１５は上面が開口となっており、その内部には、基板３０に配設されたサーミスタを外部に露出させる貫通孔１６、レンズ孔１７、脚片（脚部）１８…、基板３０に接続されたリード線３１…を外部に出すための溝部２４…、および、蓋４０の係止爪４１を掛け止める掛止片（掛止部）２５が、それぞれ設けられている。
また、収容部１５の開口部の内側には、蓋４０が載って位置決めされる段部２９と、蓋４０の係止片４２，４２が挿入されて係止される２個の係止部２８，２８が形成されている。
【００２０】
また、収容部１５の底面には、浸入してきた水を排出する水抜き用の貫通孔１９…、２０…、２１…が設けられている。これらのうち貫通孔２０…は溝部２４…の下側に設けられている。
脚片１８…は、基板３０の３つの角部に対応した位置に設けられ、平らな部分で基板３０を支持すると共に、傾斜した部分が基板３０の溝部３３…に入って基板３０を位置決めする。
【００２１】
レンズ孔１７は、基板３０上の表示灯の光を外部に導くレンズ１３を通す孔で、その内径はレンズ１３がゆるみなく嵌合する径に形成されている。レンズ孔１７の周囲には、レンズ１３のツバ部１３ａが収まる凹部１７ａと、レンズ１３を囲む壁部１７ｂが設けられている。レンズ１３はこのレンズ孔１７に嵌合して固定される。また、レンズ１３をレンズ孔１７に嵌合させると、レンズ１３の上部が基板３０の下面と同じ高さになり、レンズ１３が基板３０を下から支持する脚部を兼ねるように構成されている。レンズ１３が基板３０を支持した場合、基板３０上の発光素子はレンズ１３上部の凹部１３ｂ内に避けられる。
【００２２】
掛止片２５は、フック形状の係止爪４１に対応して係止爪４１を動かさないと該係止爪４１が外れない形状に構成されている。また、掛止片２５の下側には係止爪４１を外すための開口孔２６が設けられ、例えばドライバーなど先の尖ったものを開口孔２６から差し込んで係止爪４１に力を加えることで、係止爪４１と掛止片２５との係止が外れるようになっている。
フレーム部１２は、その上面が収容部１５の上面（蓋４０の上面）と同一平面に位置するように形成されている。フレーム部１２には、直接に天井等の取付個所に取り付けられるように、複数のネジ挿通孔１２ａ，１２ａ，１２ｂ，１２ｂ，１２ｃ，１２ｃが設けられている。
【００２３】
基板３０には、図３に示すように、火災を感知するための集積回路（図示略）や、火災を感知したときに発光する表示灯用の発光素子３５が配設されると共に、受信機から伸びた感知器回線や火災感知器１のテストを行う試験線などに火災感知器１を接続するためのコネクタ付きリード線３１…が電極３８…に接続される。これらリード線３１…は基板３０の下面側から延出するように接続する。また、基板３０中央の電極孔３９には熱検知素子（サーミスタなど）が接続される。
また、基板３０には、収容部１５の脚片１８…の傾斜部が挿入される位置決め用の溝部３３…が、３つの角部にそれぞれ設けられている。位置決め用の溝部３３…が左右対称でないことから、基板３０の表裏を間違えてセットしてしまうと云った不具合が回避される。
【００２４】
蓋４０は、収容部１５の開口部の内側に嵌合してこの開口部を塞ぐものであり、開口部の溝部２４…に対応する個所に、これら溝部２４…に噛み合う凸部４６…が設けられている。また、これら凸部４６…の先端側にもリード線３１…を通すための溝部４５…が設けられており、収容部１５の溝部２４と蓋４０の溝部４５…でリード線３１を挟んで隙間なくリード線３１…が外部に延出するようになっている。
また、蓋４０の外周部には、上面から一段下がった位置に径方向に張り出した２個の係止片４２，４２が設けられている。また、蓋４０の下面には、収容部１５の掛止片２５に掛け止めされる係止爪４１と、基板３０を上から押える押え部４３…が設けられている。
【００２５】
次に、上記のような構成の火災感知器１の組付け構造について説明する。
図５には、上記本体ケース１０に基板３０をセットした状態の上面図を、図６には、上記本体ケース１０に基板３０と蓋４０とをセットした状態の上面図を示す。なお、図５と図６においてリード線３１…の図示を省略している。
本体ケース１０と基板３０との組み付けは、基板３０の三隅の溝部３３を脚片１８と合わせて収容部１５内に収容させるだけであり、ネジ止着等の固定を行う必要がない。基板３０の下面側から延出するリード線３１…は基板３０の外側を迂回して溝部２４を通って外部に出させる。この状態で、リード線３１…を溝にはめ込むことにより、本体ケース１０を裏返しにしても基板３０が抜けない程度に仮止めされる。
【００２６】
本体ケース１０と蓋４０との組み付けは、先ず、蓋４０の係止片４２，４２を本体ケース１０の係止部２８，２８に差し入れた後、蓋４０を本体ケース１０の開口部に押し込んで係止爪４１を本体ケース１０の掛止片２５に係止させることで完了する。この状態において、蓋４０は収容部１５の段部２９に載ると同時に、その係止片４２，４２が収容部１５の係止部２８，２８に、係止爪４１が収容部１５の掛止片２５に、それぞれ係止されて固定される。
【００２７】
図７は、図６の火災感知器の３個所の縦断面を示すもので、（ａ）は矢印Ａ−Ａ線断面図、（ｂ）は矢印Ｂ−Ｂ線断面図、（ｃ）は矢印Ｃ−Ｃ線断面図である。
同図に示すように、蓋４０が組み付けられると、蓋４０の押え部４３…と本体ケース１０の脚片１８又はレンズ１３の上部とで、基板３０が押えられて固定されるようになっている。また、本体ケース１０の溝部２４と蓋４０の溝部４５とにより、リード線３１が隙間なく挟まれて固定されるようになっている。
また、図７（ｂ）に示すように、リード線３１は、基板３０の下面から溝部２４に沿って基板３０の外側を迂回して外部に延出しているため、リード線３１をつたわって水が浸入した場合でも水が基板３０上に載らないようになっている。また、溝部２４の下に水抜き用の貫通孔２０が開けられているので、リード線３１をつたわってきた水は貫通孔２０から外部に排出される。
【００２８】
以上のように、この実施の形態の火災感知器１によれば、火災感知器１が感知器ベースを必要とせず直接に取付個所に取り付けられるため、火災感知器１の設置による突出量を小さくできる。その上で、収容部１５およびフレーム部１２の上面がほぼ同一平面状に設けられているので、火災感知器１を取り付ける際に取付個所に設ける穴を従来に比べて小さくすることが出来る。すなわち、従来のように収容部の上部を挿入する穴が不要となり、火災感知器１から延出したリード線３１…を通す穴だけ設ければよい。
【００２９】
また、収容部１５の開口を塞ぐ蓋４０が、開口の内側に嵌合されて開口を塞ぐ構成なので、フレーム部１２と収容部１５の上面をほぼ同一平面状にする構成を、単純な構造で容易に実現できる。更に、蓋４０に係止片４２，４２と係止爪４１とを設ける一方、収容部１５の開口に、蓋４０の係止片４２，４２を収容して係止する係止部２８，２８と、蓋４０の係止爪４１が掛け止めされる掛止片２５とを設けることで、蓋４０が開口の内側に嵌合されて係止される構成を単純な構造で実現できる。
【００３０】
また、基板３０が収容部１５内の脚片１８とレンズ１３に下側から支持される一方、蓋４０の押え部４３…に上側から押えられて固定される構成なので、火災感知器１の組み立て作業を容易にできる。また、レンズ１３が基板を支持する脚部を兼ねているので、基板３０をより安定して支持できると共に、構成のコンパクト化を図ることが出来る。
【００３１】
また、リード線３１…が基板３０の下側から基板３０の縁部の外方を迂回して上方に延出する構成なので、リード線３１…をつたわって入りこむ水が基板３０上に載るのを防止できる。また、火災感知器１内部に水が入り込んだ場合でも、水抜き用の貫通孔１９…，２０…，２１…から水を排出することができ、水が火災感知器１内に溜まってしまうと云った不都合を回避できる。
【００３２】
また、リード線３１…が基板３０の縁部の外方を迂回することで、リード線３１…がバネのように作用して、この作用により基板３０を仮止めすることが出来る。それにより、火災感知器の組み立て作業や分解作業が容易になる。
また、リード線３１…が収容部１５の開口と蓋４０との両方に設けられた溝部２４…，４５…に挟まれて外部に通されるので、リード線３１…の周りに隙間を作ることなく組み付け容易にリード線３１…を通すことが出来る。
【００３３】
なお、本発明の火災感知器は、この実施の形態の火災感知器１に限られるものでない。例えば、火災感知器として電気的に熱を感知する火災感知器１を示したが、煙を感知するタイプや熱膨張を利用して機械的に熱を感知するタイプの感知器にも適用できる。その他、基板を支持する脚部の配置・形状や、リード線３１を通す溝部２４…の配置・形状、水排出用の貫通孔の配置、蓋と収容部との係止構造など、この実施の形態で述べた具体的な構造は、発明の趣旨を逸脱しない範囲で適宜変更可能である。
【００３４】
【発明の効果】
請求項１記載の発明によれば、火災感知器が感知器ベースを必要とせず直接に取付個所に取り付けられるため、火災感知器設置による突出量を小さくできる。その上で、収容部およびフレーム部の上面がほぼ同一平面状に設けられているので、火災感知器を取り付ける際に取付個所に設ける穴を従来に比べて小さくすることが出来る。すなわち、従来のように収容部の上部を通す穴が不要となり、火災感知器から延出したリード線を通す穴だけ設ければよい。
【００３５】
請求項２記載の発明によれば、収容部の上部に設けられた開口を塞ぐ蓋が、開口の内側に嵌合されて開口を塞ぐ構成なので、フレーム部と収容部の上面をほぼ同一平面状にする構成を、単純な構造で容易に実現できる。
【００３６】
請求項３記載の発明によれば、蓋に係止片と係止爪を設ける一方、収容部の開口に、蓋の係止片を収容して係止する係止部と、蓋の係止爪が掛け止めされる掛止部とを設けることで、蓋が開口の内側に嵌合されて係止される構成を単純な構造で実現できる。
【００３７】
請求項４記載の発明によれば、感知手段の基板が収容部内の脚部に下側から支持される一方、蓋の押え部に上側から押えられて固定される構成なので、火災感知器の組み立て作業を容易にできる。
【００３８】
請求項５記載の発明によれば、レンズにより基板が支持されるので基板をより安定して支持できると共に、レンズが脚部を兼ねている分、構成のコンパクト化を図ることが出来る。
【００３９】
請求項６記載の発明によれば、リード線が基板の下側から基板の縁部の外方を迂回して上方に延出する構成なので、リード線をつたわって感知器内部に入りこんだ水が基板上につたわらずに基板の下側に回避され、感知器内部に水が入りこんだ場合でも、基板に水の影響を与えることなく排水することが出来る。また、基板を収容部にセットした際にリード線が迂回することで、リード線が収容部の内壁（例えば溝部）に嵌り込んで基板を仮止めすることが出来る。それにより、火災感知器の組み立て作業や分解作業が容易になる。
また、リード線が収容部の開口と蓋との両方に設けられた溝部に挟まれて外部に通されるので、リード線の周りに隙間を作ることなく組み付け容易に感知器内部から外部にリード線を通すことが出来る。
【００４１】
請求項７記載の発明によれば、火災感知器内部に水が入り込んだ場合でも、水抜き用の貫通孔から水を排出することができ、水が感知器内に溜まってしまうと云った不都合を回避できる。
【図面の簡単な説明】
【図１】本発明の実施の形態の火災感知器の分解斜視図である。
【図２】同、火災感知器の本体ケースを示すもので、（ａ）はその平面図、（ｂ）は斜視図である。
【図３】同、火災感知器の回路基板を示すもので、（ａ）はその下面図、（ｂ）は上面図である。
【図４】同、火災感知器の蓋を示すもので、（ａ）はその上面図、（ｂ）は下面図である。
【図５】同、火災感知器において本体ケースに回路基板をセットした状態を示す上面図である。
【図６】同、火災感知器において本体ケースに回路基板と蓋をセットした状態を示す上面図である。
【図７】図６の火災感知器の３個所の縦断面を示すもので、（ａ）は矢印Ａ−Ａ線断面図、（ｂ）は矢印Ｂ−Ｂ線断面図、（ｃ）は矢印Ｃ−Ｃ線断面図である。
【図８】取付ベースを介さない従来の火災感知器を示す側面図である。
【図９】同、従来の火災感知器を示す縦断面図である。
【符号の説明】
１            火災感知器
１０          本体ケース
１２          フレーム部
１３          レンズ
１５          収容部
１８…        脚片（脚部）
１９…，２０…，２１…    水排出用の貫通孔
２４…        溝部
２５          掛止片
２８，２８    係止部
２９          段部
３０          基板
３１…        リード線
３３…        溝部
４０          蓋
４１          係止爪
４２，４２    係止片
４３…        押え部
【図１】
0003655477.tif 000002
【図２】
0003655477.tif 000003
【図３】
0003655477.tif 000004
【図４】
0003655477.tif 000005
【図５】
0003655477.tif 000006
【図６】
0003655477.tif 000007
【図７】
0003655477.tif 000008
【図８】
0003655477.tif 000009
【図９】
0003655477.tif 000010